(57)【要約】【課題】稲作栽培で灌漑用水は稲の成育増収を計る上では施肥に次ぐ大切な管理事項で、これの対応の適否で雑草、病害に影響し農薬多用の原因となる、従来の農業用水は川を堰き止め、常に用水路に水を流し各自が自由に灌漑していた、近年治水の観点から堰体を撤去しポンプ揚水に変わった、施設管理費・電力費・設備償却費の減少を計るため揚水は日時を定めている、農家はこの時間帯に対応しなければならない、近年農家は収入の関係でほとんどが兼業農家でありこの止水作業が時間の関係で困難になり最適管理が出来ない、利水の経費を少しでも減らし米作のコストダウンを計らねばならない。【解決手段】潅概用水のかけひきは常時水田に水を張るのではなく、天候、根への酸素の補給、生育に従って調節せねばならない、即ち自動給止水は以上の観点とコストの面から見て止水のみが有利であり、これを解決するため、水面高さ自由調節の自動止水装置を考案した。【選択図】  図１
2005013202.tif 000002
【特許請求の範囲】
【請求項１】
中心穴を設けたフロートに永久環状磁石を埋め込み、この中心穴には上下スライドし半固定出来る非磁性体管内にリードリレーを内蔵させた田面の水位を検出するセンサー。
【請求項２】
水門シャッターの給水時の開口保持は、側圧でシャッターを保持させ、シャッターは任意の位置で開口保持させる事が出来るので給水量の調節が自由にでき、シャッターを閉じる時は側圧を解除しシャッターが閉じるロック方法。
【請求項３】
側圧の加圧・解除は折れ腕の一方を本体に固定し中央は上下スライドアームに付設したロックを外すことによってなされるロック解除方法。
【請求項４】
ロックを外す動力源は電気による小型モーターでこれを減速し連動したカムによりロックを外す方法。
【請求項５】
ロックを外す動力源は電気によるソレノイドでこれをこれのブランジャーでロックを外す方法。
【請求項６】
水田畦畔の水口付近に埋設したベースブロックで本装置の本体を支え上面に開口部を設けて掃除口とした本体支持方法。
【請求項７】
水門本体開口部前段には大きなゴミを粗めのネットで防止し、開口部の下部は逆三角形としてシャッター閉鎖時に引っ掛かったゴミを下部に集束させる方法。
【発明の詳細な説明】
【０００１】
【発明の属する技術分野】
本発明は稲作時灌漑用水を田に引くが、給水時の天候、稲の成育状況を見て手で水門を開きシャッターをロックさせ水を流入させる、水位が所定の高さに達すればセンサーが感知してロックを外しシャッターを閉じ流入水を停止させる装置に関する。
【０００２】
【従来の技術】
水利費、用水路の水量、水温、流水時間等を勘案して最適用水管理が求められるため、給止水の多くは人手に頼っている。
【０００３】
【発明が解決しようとする課題】
田に給水後、止水時間帯は通常仕事時間帯となるため最適止水は困難であった、これを自動止水にして水の無駄と装置の低価格化、時間の節約を計ることとした。
【０００４】
【課題を解決するための手段】
上記の目的を達成するため本発明は図中の参照符号を付して示すならば請求項１にあっては図１、図２に示すとおり設置基準線６を引いた外筒７の中に中心穴を設けた非磁性体金属又はプラスチック、発泡樹脂製のフロート８の同心円上に永久環状磁石９を埋め込んだフロートで、フロート自体は外筒菅内で浮力によって自由に上下出来るようにしている。一方フロート中心穴の中には非磁性菅１０を貫通し内部にはリードリレー１１を装着した水位センサー、外筒菅内には通水孔３１を通じて水が流入し、流入した水量分だけの空気が通気孔３２を通って逃げる様にして外筒管内を大気圧に保っている。更に水の深さを調節するための非磁性菅１０には目盛１２を刻み板バネ１３で半固定にしている、駆動源は電池を使っているためシャッター本体とセンサーの高さ、位置関係は生じない、従ってどのような高さの水路にも設置できる。
【０００５】
請求項２にあっては水門シャッターの給水時の保持方法で図５に示すとおり側圧ユニット１４の爪でシャッター２を本体１に押し付けて保持する。保持位置は自由で必要給水の状態により決める事が出来る。閉じる時は側圧を解除してシャッターの自重で落下閉鎖する、従って閉じるための動力は不要である。この機構の本体との取付位置は中央が原則であるが畔の状態で取付位置は自由である。
【０００６】
シャッターの材質は防錆のため軽金属を使用した場合、自重が不足するのでシャッター戻りバネ３４を付加する方法。
【０００７】
請求項３にあっては図４、図５、図６に示すとおり田に給水が生じた時、シャッター２を適量流入位置まで開き上下スライドアーム１６を押し込む、このツマミを本体裏側に廻したのはこの装置が屋内に設置されるため防水ケース１７を取付けるためである、上下スライドアーム１６を押さえ込むとこれに連動された折れ腕１８が直線化して側圧をかける。田に水が入ると上下スライドアーム１６に付設した爪を引き外しアーム２２が作動して上下スライドアーム１６を復帰させ折れ腕１８が曲がり側圧を解除させる。
【０００８】
請求項４にあっては図５に示すとおり引き外しアーム２２を作動させる機構でセンサーにより回路が閉じれば小型モーターが通電され回転する、これを減速してカムを回転させ引き外しアーム２２を駆動する。カムが頂点を通過して引き外しアーム駆動後カム軸に連動したマイクロスイッチで回路を遮断する。再び動作状態にするには一方クラッチを内蔵したカム軸のツマミを設定位置にして回路を通電させる。
【０００９】
請求項５にあっては図６に示すとおりソレノイドで引き外しアーム２２を作動させる方法で、センサーにより回路が閉じれば電磁ソレノイド３６に通電され引き外しアーム２２に連動したプランジャーが吸引され引き外しアームを駆動する簡易な方法。
【００１０】
請求項６にあっては図３に示すとおり畦畔の一部に本体を固定する。水の通路ヲ時々掃除しなければならないので上面に掃除口３０を設けている、稲作期以外でも常時付設しても支障なくかえって安定する。
【００１１】
請求項７にあっては稲作時、畔の雑草の成長が激しく一夏３〜４回畔草刈の作業をやらねばならない、この時用水路に多くの刈草が落ちこみ田に流入して困るのである、これを防止するため図４、図５に示す通り本体開口部前段には粗めのネット２９を配し、ここを通過した小さなゴミは田に支障は無く、開口部に引っ掛かったゴミを開口部下部を逆三角形３３にして下部に集束させ漏水を少なくする。
【００１２】
【発明の実施の形態】
以下本発明の一実施形態を図１〜５を参照しながら説明する。
本装置の設置時期は春５〜６月の代掻き後標準水位の時、センサーを本体から離して稲株間に設置する、これはセンサーの感度が良く水口付近では流水波動と水位変化が少ないため正確な水位がキャッチできないからである。次ぎに本体１を水口ベースコンクリート４に取付ける、方法はワンタッチ金具が取付けに便利でありＲピンネジ締めで良い、配線コネクターに接続する。
【００１３】
天候、水の状態、稲の成育状況を見て給水する、この時シャッターは最良の位置にする、これは多くの条件があるのと給止水全機能装置では高コストとなる、水が流入して所定の水位に達すれば自動的に止水される、この装置はポンプ揚水に限らず溜め池、自然流水にも利用でき動作が確実である。
【００１４】
次ぎに図６を参照しながら他の実施形態を説明する。引き外しアーム２２によって上下スライドアームのロックを外す方法は同じであるが、引き外しアーム２２の駆動方法としてソレノイド３６によって駆動する簡易な方法。
【００１５】
【発明の効果】
本実施形態によれば田面水位即ちセンサー内に流入する水位と設定した水位が一致した時リードリレーがオンしロック爪が外れて側圧が解除されシャッターが落下、確実に止水される、朝、稲の成育状況、天候を見て水の深さを加減しシャッターを開き仕事にでる、止水については気にすることなく本来の仕事に専念出来る。給水期間が終わればベースブロックをそのままにして、本体とセンサーを取り外して格納し次期に備える。
【図面の簡単な説明】
【図１】本発明の実装図である。
【図２】水位センサーの構造図である。
【図３】水口に埋設するベースブロック図である。
【図４】止水器本体の正面図である。
【図５】止水器本体の側面図である。
【図６】ソレノイド駆動の側面図である。
【符号の説明】
１    止水器本体
２    シャッター
３    シャッター取っ手
４    ベースブロック
５    水位センサー本体
６    センサー本体設置基準線
８    フロート
９    環状永久磁石
１１  リードリレー
１４  側圧機構
１６  上下スライドアーム
１９  回転カム機構
２２  引き外しアーム
２４  電池ケース
２５  上下スライドアーム戻りバネ
２６  手動引き外しハンドル
２７  引き外しアーム戻りバネ
２８  上下スライドアーム引掛け爪
３０  ベースブロック掃除口
３５  本体取付金具
３６  直流ソレノイド
【図１】
2005013202.tif 000003
【図２】
2005013202.tif 000004
【図３】
2005013202.tif 000005
【図４】
2005013202.tif 000006
【図５】
2005013202.tif 000007
【図６】
2005013202.tif 000008